(57)【要約】      （修正有）【課題】製造コストが安価であり、簡単に変更することができ、且つ、粘着ラベルを剥がすことによる損傷の危険性が回避できるテレビジョン装置の販売促進用ラベルを提供する。【解決手段】テレビジョン装置は、販売促進用のラベリングを行うため、そのテレビジョン装置の技術情報を示す販売促進用グラフィックが、表示する映像に重ねられるように、表示装置に供給される映像信号を変更する。これにより、粘着ラベルの必要がなくなり、したがってコストが低下し、粘着ラベルを剥がすことによる損傷が回避される。【選択図】図１
2010178329.tif 000002
【特許請求の範囲】
【請求項１】
表示装置と、
入力テレビジョン信号を受信及び復号して映像を表す映像信号を生成する受信復号回路と
を具備するテレビジョン装置であって、
前記生成された映像信号を表示するために当該映像信号を前記表示装置に供給するように構成され、
所定の動作モードにおいて、当該テレビジョン装置に関する技術情報を示す販売促進用グラフィックを、前記表示する映像信号に重ねて表示するように構成された
テレビジョン装置。
【請求項２】
請求項１に記載のテレビジョン装置であって、
通常モード及び販売促進モードを含む複数のモードのうちの１つのモードにおいて動作し、
前記販売促進用グラフィックを、前記販売促進モードにおいて表示し、前記通常モードにおいては表示しない
テレビジョン装置。
【請求項３】
請求項２に記載のテレビジョン装置であって、
前記通常モードにおいて所定の方法で動作し、前記販売促進モードにおいて前記通常モードとは異なる方法で動作するように構成された
テレビジョン装置。
【請求項４】
請求項３に記載のテレビジョン装置であって、
前記通常モードにおいて所定の機能を実行し、前記販売促進モードにおいて前記所定の機能のうちの限られた一部の機能を実行するように構成された
テレビジョン装置。
【請求項５】
請求項３又は４に記載のテレビジョン装置であって、
前記表示装置は、表示する画像の輝度設定を制御する輝度設定手段を有し、
前記輝度設定手段は、前記販売促進モードにおける前記輝度設定の初期値を、前記通常モードにおける前記輝度設定の初期値よりも高く設定する
テレビジョン装置。
【請求項６】
請求項３乃至５のいずれか１項に記載のテレビジョン装置であって、
前記通常モードにおいては、前記入力テレビジョン信号が所定期間入力されない場合に、当該テレビジョン装置を、当該テレビジョン装置の消費電力が前記通常モードにおける消費電力よりも低いスタンバイ状態に切り替える一方、前記販売促進モードにおいては前記スタンバイ状態に切り替えないように構成された
テレビジョン装置。
【請求項７】
請求項２乃至６のいずれか１項に記載のテレビジョン装置であって、
当該テレビジョン装置の電源が製造後初めて投入されるとき、上記通常モード及び上記販売促進モードのうちの一方を選択するユーザ入力をユーザに入力可能とし、当該ユーザ入力に応じて、前記ユーザが前記ユーザ入力により選択したモードにおいて動作するように構成された
テレビジョン装置。
【請求項８】
請求項２乃至６のいずれか１項に記載のテレビジョン装置であって、
複数のボタンを有するユーザ入力インタフェースを具備し、
前記ユーザ入力インタフェースの前記複数のボタンに対する所定の操作に応じて、当該テレビジョン装置を、前記通常モードと前記販売促進モードとの間で切り替えるように構成された
テレビジョン装置。
【請求項９】
請求項８に記載のテレビジョン装置であって、
前記所定の操作は、前記複数のボタンのうちの所定の組み合わせを同時に押下する操作、前記複数のボタンのうちの少なくとも１つのボタンを所定時間押下する操作、前記複数のボタンのうちの少なくとも１つのボタンを繰り返し押下する操作のうちのいずれか１つである
テレビジョン装置。
【請求項１０】
請求項９に記載のテレビジョン装置であって、
前記所定時間は１秒以上である
テレビジョン装置。
【請求項１１】
請求項８乃至１０のいずれか１項に記載のテレビジョン装置であって、
前記ユーザ入力インタフェースは、リモートコントローラーを有する
テレビジョン装置。
【請求項１２】
請求項１乃至１１のいずれか１項に記載のテレビジョン装置であって、
前記販売促進用グラフィックを生成するように構成されたグラフィック生成部と、
前記映像信号を前記受信復号回路から前記表示装置に供給するとともに、前記販売促進用グラフィックを表示するために、前記グラフィック生成部により生成されたグラフィック信号を前記映像信号に挿入するように構成された挿入論理回路と
をさらに具備するテレビジョン装置。
【請求項１３】
請求項１乃至１２のいずれか１項に記載のテレビジョン装置であって、
前記テレビジョン信号のチャンネルが変更されても、前記販売促進用グラフィックの表示を継続するように構成された
テレビジョン装置。
【請求項１４】
請求項１乃至１３のいずれか１項に記載のテレビジョン装置であって、
前記販売促進モードにおいて、前記販売促進用グラフィックを、時間に伴って変化するグラフィックとして表示するように構成された
テレビジョン装置。
【請求項１５】
請求項１４に記載のテレビジョン装置であって、
前記所定の動作モードにおいて、前記販売促進用グラフィックを、スクロールするグラフィック又は順に表示される複数のページからなるグラフィックとして表示するように構成された
テレビジョン装置。
【発明の詳細な説明】
【技術分野】
【０００１】
本発明は、テレビジョン装置の販売促進用ラベルに関する。
【背景技術】
【０００２】
テレビジョン装置は、店舗において、そのテレビジョン装置の技術的情報を示す粘着ラベルを用いて販売促進されることが多い。このラベルは、テレビジョン装置のうち表示装置又は周囲のベゼルに貼り付けられる。
【先行技術文献】
【特許文献】
【０００３】
【特許文献１】欧州特許出願公開第０５５４５７７号明細書
【特許文献２】欧州特許出願公開第１４２７１９７号明細書
【特許文献３】米国特許出願公開第２００４／１２３３１４号明細書
【特許文献４】米国特許出願公開第２００８／３１９８５２号明細書
【特許文献５】特開２００５−１３００７５号明細書
【特許文献６】米国特許第４３４４０９０号明細書
【発明の概要】
【発明が解決しようとする課題】
【０００４】
粘着ラベルには、多くの欠点がある。粘着ラベルの仕上げ材料が概して高価であることによる直接的な製造コストと、製品の改良に伴う新たなラベルの開発コストの両方を考慮すると、粘着ラベルは比較的高価である。また、粘着ラベルを剥がすことにより、テレビジョン装置の表示装置又は周囲のベゼルが損傷してしまう危険もある。
【課題を解決するための手段】
【０００５】
本発明の実施形態によれば、テレビジョン装置が提供される。当該テレビジョン装置は、表示装置と、入力テレビジョン信号を受信及び復号して映像を表す映像信号を生成する受信復号回路とを具備する。当該テレビジョン装置は、前記生成された映像信号を表示するために当該映像信号を前記表示装置に供給するように構成され、所定の動作モードにおいて、当該テレビジョン装置に関する技術情報を示す販売促進用グラフィックを、前記表示された映像信号に重ねて表示するように構成される。
【０００６】
このように、テレビジョン装置の技術情報を示す販売促進用グラフィックを、表示する映像に重ねることにより、販売促進用ラベリングが提供される。これにより、粘着ラベルを利用するときに比べ、多くの利点が得られる。まず、コストが大幅に低下する。本発明の実施形態では、粘着ラベルを作成又は貼付する必要なく、ラベルはソフトウェアによって効率的に実現されるため、製造コストが低下する。製品の改良に伴うラベルの変更も簡単に行うことができる。また、粘着ラベルを剥がすことによる損傷の危険も回避できる。
【図面の簡単な説明】
【０００７】
【図１】本発明の実施形態に係るテレビジョン装置の図である。
【図２】映像及び販売促進用グラフィックを表示しているテレビジョン装置の前面図である。
【図３】テレビジョン信号の入力がない場合の、販売促進用グラフィックを表示しているテレビジョン装置の前面図である。
【図４】グラフィカルユーザインタフェース画面を示す図である。
【発明を実施するための形態】
【０００８】
本発明をより理解するために、添付の図面を参照して、非限定的な例として本発明の一実施形態を以下に説明する。
【０００９】
図１は、表示装置２を有するテレビジョン装置１を示す。表示装置２は任意の種類であってよく、例えばＬＣＤ（Liquid Crystal Display：液晶表示装置）である。
【００１０】
テレビジョン装置１は、テレビジョン装置１の動作を制御する制御部３を有する。制御部３は、適切なプログラムを実行するマイクロプロセッサによって実現される。制御部３は、対応するＲＡＭ（Random Access Memory）４及びフラッシュメモリ等の不揮発性メモリ５を有する。不揮発性メモリ５にコンピュータプログラムが格納される。
【００１１】
テレビジョン装置１は、複数のボタン１１を有する赤外線（ＩＲ：Infrared）リモートコントローラー１０（以下、ＩＲリモコン１０と称する）と、ＩＲ受信部１２とをさらに有する。ＩＲリモコン部１０は、ボタン１１の押下によるユーザ入力を受けるユーザインタフェースとして機能する。ＩＲ受信部１２は、ＩＲリモコン１０からのユーザ入力を表すＩＲ信号を受信する。テレビジョン装置１の動作は、このようなユーザ入力に基づいて制御部３により制御される。もちろん、テレビジョン装置１自体にもユーザ入力を受けるためのボタンがあってもよい。
【００１２】
テレビジョン装置１は、受信復号回路６を有する。受信復号回路６には、ソケット８に接続されたアンテナ７からテレビジョン装置１に入力された放送テレビジョン信号が供給される。受信復号回路６は、テレビジョン信号を受信、復号して映像を表す映像信号を取得する従来と同様の構成を有する。受信復号回路６の動作は、制御部３により、所望の放送チャンネルを選択するように制御される。受信復号回路６は地上波テレビジョン放送信号受信用として説明されるが、これに替えて、又はこれに加えて、例えばケーブル、衛星放送、又はＩＰ−ＴＶ（Internet Protocol Television）等のネットワークといった任意の方法で配信されるテレビジョン信号を受信及び復号してもよい。
【００１３】
映像信号は、後述する挿入論理回路９を介して表示装置２に供給される。表示装置２は、映像信号に基づいて駆動され、映像を表示する。
【００１４】
テレビジョン装置１は、グラフィック生成部１５をさらに有する。グラフィック生成部１５は、制御部３の制御下で動作し、表示装置２に表示するグラフィックを表すグラフィック信号を生成する。グラフィック信号は挿入論理回路９に供給され、挿入論理回路９は、このグラフィック信号を、受信復号回路６から表示装置２に供給された映像信号に挿入する。挿入論理回路９は、例えばミキサーであってよい。このように、表示装置２上で、グラフィックが映像信号に重ねられて表示される。映像信号のフレーム期間に応じて、映像中の任意の所望の位置にグラフィックが表示されるように、挿入タイミングが制御される。グラフィック信号は、映像信号の一部と入れ換えられるか、又は映像信号とミックスされるので、映像が見えなくなることはなく、グラフィックは映像信号に重ねられて透明に見える。
【００１５】
グラフィック生成部１５は、従来と同様のマンマシンインターフェースによりユーザにテレビジョン装置１を操作させるためのＯＳＤ（On Screen Display）処理を実行するように制御されてもよい。
【００１６】
さらに、グラフィック生成部１５は、テレビジョン装置についての技術情報を示す販売促進用グラフィックであるグラフィックを挿入するように制御されてもよい。このように、粘着ラベルの代わりに、グラフィックを販売促進目的で利用することができる。概して、販売促進用グラフィックは、技術情報を示すロゴ及び／又は文字等の任意の形態であってよい。例として、図２は、ロゴの形態をとる販売促進用グラフィック２１が重ねられた映像２０が表示装置２上に表示されたテレビジョン装置１を示す。
【００１７】
販売促進用グラフィック２１は電子的に生成されるので、物理的なラベルを剥がすことに伴うテレビジョン装置１の損傷の危険を回避できる。また、この販売促進用グラフィック２１の特筆すべき利点は、テレビジョン装置１の技術仕様のうち任意の側面を示す所望の形に容易に変更することができる点である。
【００１８】
また、本実施形態では、時間の経過に伴って変化する販売促進用グラフィック２１を表示するようにグラフィック生成部１５を制御することができるという点で、粘着ラベルよりも優れている。時間の経過に伴って変化する販売促進用グラフィック２１の例としては、アニメーション化されたグラフィック、スクロールされるグラフィック、又は順に表示される複数のページからなるグラフィック等が挙げられる。このようにして、表示され、且つ／又は潜在的な購入者の興味を引く情報の量を増やすことができる。
【００１９】
販売促進用グラフィック２１は、テレビジョン信号のチャンネルが変更されたときにも継続して表示される。これを実現するには、グラフィック信号をグラフィック生成部１５から挿入論理回路９に供給し続ければよい。この場合、チャンネルが変更されると、復号受信回路６から出力される映像信号はそれに応じて変化するが、グラフィック信号は、挿入論理回路９によって挿入し続けられる。
【００２０】
販売促進用グラフィック２１は、例えば店舗においてテレビジョン装置１が販売促進されているときに表示され、例えば家庭においてテレビジョン装置１がエンドユーザに利用されるときには表示されないことが好ましい。これを実現するために、テレビジョン装置１は以下のように構成される。
【００２１】
テレビジョン装置１は、制御部３の制御下で、２つの異なるモードで選択的に動作する。この２つのモードは、エンドユーザによる利用のために意図された通常モードと、テレビジョン装置１の販売促進における利用のために意図された販売促進モードである。テレビジョン装置１は、販売促進モードにおいては販売促進用グラフィック２１を表示するが、通常モードにおいては表示しないように構成される。もちろん、テレビジョン装置１はその他の動作モードを有してもよい。
【００２２】
典型的には、テレビジョン装置１は、通常モードにおいては所定の方法で動作し、販売促進モードにおいては、通常モードとは異なる、テレビジョン装置１の販売促進を支援する方法で動作するように構成される。種々の異なるタイプの動作が販売促進モードにおいて適用されてよく、例えば以下のようなものがある。
【００２３】
１つ目は、上記の販売促進モードにおいては、テレビジョン装置１が、通常モードにおいて利用可能な所定の機能のうちの限られた一部の機能を実行することである。これにより、販売促進中のテレビジョン装置１の動作が単純化される。
【００２４】
２つ目は、販売促進モードにおいては、表示装置２が、当該表示装置２に表示される画像の輝度を制御する輝度設定の初期値を、通常モードよりも高くすることである。これにより、典型的に明るい環境である店舗においてテレビジョン装置１が販売促進されるときの画質を向上させることができる。
【００２５】
３つ目は、テレビジョン装置１が通常モードにあるとき、テレビジョン信号が所定期間入力されない場合には、消費電力が上記の通常モードよりも低いスタンバイ状態に切り替わる一方、販売促進モードにおいてはそのような切り替えが行われないようにテレビジョン装置１を構成することである。これにより、販売促進中に、テレビジョン装置１が自動的にスタンバイ状態に切り替わってしまうことが防止される。このように、販売促進用グラフィック２１は、テレビジョン信号の入力がない場合にも表示され続ける。この場合、映像はブランクである。この場合の例として、図３は、販売促進用グラフィック２１が重ねられたブランクの映像信号２２が表示装置２上に表示されたテレビジョン装置１を示す。
【００２６】
上記モードの選択は、任意の適切な方法で実現される。
【００２７】
１つ目のモード選択方法は、ＩＲリモコン１０のボタン１１に対する所定の操作（又は任意の他のユーザ入力インタフェースが提供された場合にはその操作）に応じて、制御部３が、テレビジョン装置１の動作を上記のモード間で切り換えることである。
【００２８】
上記所定の操作は、エンドユーザが意図していないのに販売促進モードに切り替わってしまうことを防ぐため、通常モード中に誤って生じてしまう可能性が低いものであることが好ましい。例えば、上記所定の操作は、ボタン１１の所定の組み合わせを同時に押下する操作、少なくとも１つのボタン１１を、ＩＲリモコン部１０がその押下を検出するのに必要な所定の時間よりも長く（好ましくは１秒以上、典型的には５秒）押下する操作、又は少なくとも１つのボタン１１を繰り返し押下する操作等である。
【００２９】
２つ目のモード選択方法は、テレビジョン装置１にその製造後初めて電源が投入されるときに、ユーザにモードを選択させることである。この方法は、制御部３が、ユーザに２つのモードのどちらかを選択させるグラフィカルユーザインタフェース（ＧＵＩ）を生成するようにグラフィック生成部１５を制御し、それを表示装置２に表示させることによって実現される。例として、図４は、このようなＧＵＩ２３が表示装置２上に表示されたテレビジョン装置１を示す。ＧＵＩ２３は、通常モードを選択するための「ＨＯＭＥ」と書かれたボックス２４と、販売促進モードを選択するための「ＰＲＯＭＯＴＩＯＮ」と書かれたボックス２５を有する。ユーザは、ＩＲリモコン１０を用いてボックス２４とボックス２５のいずれかを選択するためのユーザ入力を行うことができ、制御部３は、そのユーザ入力に基づき、テレビジョン装置１を選択されたモードで動作させる。
【００３０】
この場合、制御部３は、任意選択で、通常モードが選択された直後に実行される、色及びコントラスト設定等の各種の設定をユーザに設定させるための初期セットアップ動作中に、販売促進用グラフィック２１を表示してもよい。販売促進用グラフィック２１が表示されない通常モードは、このセットアップ動作の後に開始される。
【００３１】
さらに、制御部３は、上記ＧＵＩにより、ユーザが後にモードの再選択又は切り替えを行うことを可能としてもよい。
【図１】
2010178329.tif 000003
【図２】
2010178329.tif 000004
【図３】
2010178329.tif 000005
【図４】
2010178329.tif 000006